(57)【要約】【課題】小型化と高性能化の両立に有利なズームレンズを提供する。【解決手段】本発明に係るズームレンズは、ズーミングが可能であり且つ無限遠を含むフォーカシングを可能とする第１のモードと、０．２５倍よりも大きい撮影倍率絶対値を得ることを可能とする第２のモードとが設定可能なマクロモードを備え、正屈折力のレンズ群Ａと、レンズ群Ａよりも像側に配置され、空気間隔を挟んでレンズ群Ａに隣り合う負屈折力のレンズ群Ｂと、レンズ群Ａよりも物体側に配置され、フォーカシング動作時に光軸方向に移動する負屈折力のフォーカシングレンズ群と、フォーカシングレンズ群よりも物体側に配置されフォーカシング動作時にフォーカシングレンズ群との距離が変化する負屈折力の物体側レンズ群と、を有する。【選択図】図１
2012230209.tif 000002
【特許請求の範囲】
【請求項１】
ズーミングが可能であり且つ無限遠を含むフォーカシングを可能とする第１のモードと、０．２５倍よりも大きい撮影倍率絶対値を得ることを可能とする第２のモードとが設定可能なマクロモードを備えたズームレンズであって、
前記ズームレンズは、
正屈折力のレンズ群Ａと、
前記レンズ群Ａよりも像側に配置され、空気間隔を挟んで前記レンズ群Ａに隣り合う負屈折力のレンズ群Ｂと、
前記レンズ群Ａよりも物体側に配置され、フォーカシング動作時に光軸方向に移動する負屈折力のフォーカシングレンズ群と、
前記フォーカシングレンズ群よりも物体側に配置され前記フォーカシング動作時に前記フォーカシングレンズ群との距離が変化する負屈折力の物体側レンズ群と、を有し、
前記第１のモードでは、広角端から望遠端へのズーミングに際して、
前記レンズ群Ａは、広角端よりも望遠端にて前記フォーカシングレンズ群との距離が狭まり且つ物体側に位置するように移動し、
前記レンズ群Ｂは、前記広角端よりも前記望遠端にて前記レンズ群Ａとの距離が広がり且つ物体側に位置するように前記レンズ群Ａの位置に関連して移動し、
無限遠合焦を含むフォーカシングを前記負屈折力のフォーカシングレンズ群の光軸方向への移動にて行い、
第２のモードでは、
前記レンズ群Ａが前記広角端から前記望遠端へのズーミング時の移動範囲内に位置され、
前記レンズ群Ｂが、前記ズーミングの際における前記レンズ群Ａの位置に対応するレンズ群Ｂの位置よりも像側且つ、レンズ群Ｂの広角端での位置よりも物体側に位置され、
フォーカシングを前記負屈折力のフォーカシングレンズ群の光軸方向への移動にて行うことを特徴とする
マクロモードを備えたズームレンズ。
【請求項２】
以下の条件式（１）を満足することを特徴とする
請求項１に記載のマクロモードを備えたズームレンズ。
０．２＜ｆobj／ｆfocus＜５．０  ・・・（１）
ただし、
ｆobjは、前記物体側レンズ群の焦点距離、
ｆfocusは、前記フォーカシングレンズ群の焦点距離、である。
【請求項３】
以下の条件式（２）を満足することを特徴とする
請求項１又は請求項２に記載のマクロモードを備えたズームレンズ。
１．２＜ＤＡｗｔ／ＤＢｗｔ＜３．０  ・・・（２）
ただし、
ＤＡｗｔは、望遠端での前記レンズ群Ａの位置と広角端での前記レンズ群Ａの位置との差、
ＤＢｗｔは、望遠端での前記レンズ群Ｂの位置と広角端での前記レンズ群Ｂの位置との差、である。
【請求項４】
以下の条件式（３）を満足することを特徴とする
請求項１から請求項３の何れか１項に記載のマクロモードを備えたズームレンズ。
０≦ＭＢｍ２／ＤＡＢｍ２＜１．８  ・・・（３）
ただし、
ＭＢｍ２は、第２のモードでの前記レンズ群Ｂの位置と広角端での前記レンズ群Ｂの位
置との差、
ＤＡＢｍ２は、第２のモードにおける前記レンズ群Ａと前記レンズ群Ｂとの間の距離、である。
【請求項５】
以下の条件式（４）を満足することを特徴とする
請求項１から請求項４の何れか１項に記載のマクロモードを備えたズームレンズ。
０．４＜ＭＢｍ２／ＭＢｍ１＜０．９６  ・・・（４）
ただし、
ＭＢｍ２は、第２のモードでの前記レンズ群Ｂの位置と広角端での前記レンズ群Ｂの位置との差、
ＭＢｍ１は、第２のモードのレンズ群Ａの位置と同位置にレンズ群Ａが位置したときの第１のモードでのレンズ群Ｂの位置と広角端での前記レンズ群Ｂの位置との差、である。
【請求項６】
以下の条件式（５）を満足することを特徴とする
請求項１から請求項５の何れか１項に記載のマクロモードを備えたズームレンズ。
０．５＜ＭＡｍ２／ＤＡｗｔ＜０．９８  ・・・（５）
ただし、
ＭＡｍ２は、第２のモードでの前記レンズ群Ａの位置と広角端での前記レンズ群Ａの位置との差、
ＤＡｗｔは、望遠端での前記レンズ群Ａの位置と広角端での前記レンズ群Ａの位置との差、である。
【請求項７】
前記物体側レンズ群が前記ズーミング及びフォーカシングの際に位置が固定であることを特徴とする
請求項１から請求項６の何れか１項に記載のマクロモードを備えたズームレンズ。
【請求項８】
前記物体側レンズ群が前記ズームレンズ中で最も物体側に配置されたレンズ群であることを特徴とする
請求項１から請求項７の何れか１項に記載のマクロモードを備えたズームレンズ。
【請求項９】
前記レンズ群Ａの物体側直前の空気間隔から前記レンズ群Ａの像側の空気間隔の間に配置され、広角端よりも望遠端にて物体側に位置する明るさ絞りを有することを特徴とする
請求項１から請求項８の何れか１項に記載のマクロモードを備えたズームレンズ。
【請求項１０】
広角端から望遠端へのズーミングに際して、前記フォーカシングレンズ群は像側へ移動後像側に移動し、前記物体側レンズ群と前記フォーカシングレンズ群との距離が変化することを特徴とする
請求項１から請求項９の何れか１項に記載のマクロモードを備えたズームレンズ。
【請求項１１】
前記フォーカシングレンズ群が、内部が媒質で満たされた１つのレンズ体で構成されたことを特徴とする
請求項１から請求項１０の何れか１項に記載のマクロモードを備えたズームレンズ。
【請求項１２】
前記レンズ群Ｂよりも像側に配置され前記レンズ群Ｂとの距離が前記ズーミングの際に変化する正屈折力のレンズ群Ｃを有することを特徴とする
請求項１から請求項１１の何れか１項に記載のマクロモードを備えたズームレンズ。
【請求項１３】
前記レンズ群Ｃは、前記ズームレンズ中で最も像側に配置されたレンズ群であり、前記ズーミング及びフォーカシングの際に位置が固定であることを特徴とする
請求項１２に記載のマクロモードを備えたズームレンズ。
【請求項１４】
ズームレンズは物体側から順に、
前記物体側レンズ群、前記フォーカシングレンズ群、前記レンズ群Ａ、前記レンズ群Ｂ、正屈折力のレンズ群Ｃとからなり、
前記物体側レンズ群と前記レンズ群Ｃは、前記ズーミング及びフォーカシングの際に位置が固定であることを特徴とする
請求項１から請求項６の何れか１項に記載のマクロモードを備えたズームレンズ。
【請求項１５】
前記フォーカシングレンズ群は、前記ズーミングの際に、像側へ移動後、物体側に移動することを特徴とする
請求項１４に記載のマクロモードを備えたズームレンズ。
【請求項１６】
前記フォーカシングレンズ群は、前記ズーミングの際に固定であることを特徴とする
請求項１４に記載のマクロモードを備えたズームレンズ。
【請求項１７】
前記物体側レンズ群よりも物体側に配置され、前記物体側レンズ群との距離が前記ズーミングの際に変化する正屈折力のレンズ群Ｄを有することを特徴とする
請求項１から請求項７の何れか１項に記載のマクロモードを備えたズームレンズ。
【発明の詳細な説明】
【技術分野】
【０００１】
本発明は、ズーミングが可能であり、且つ、無限遠を含むフォーカシングを可能とする第１のモードと、大きい撮影倍率を得ることを可能とする第２のモードとが設定可能なズームレンズに関する。
【背景技術】
【０００２】
従来、無限遠合焦とズーミングを可能とした撮影モードと、大きな撮影倍率にて撮影可能とするマクロ撮影モードを備えたズームレンズが知られている。例えば、特許文献１では、マクロモードの際には最も物側のレンズ以外のレンズ群を物体側に移動させて、大きい撮影倍率を得られるズームレンズが開示されている。
【先行技術文献】
【特許文献】
【０００３】
【特許文献１】特開２００６−３０１４７４号公報
【発明の概要】
【発明が解決しようとする課題】
【０００４】
しかしながら、特許文献１におけるズームレンズでは、マクロモード時において、ズーミング時のレンズ群の移動範囲から逸脱して移動させることとなり、機構が複雑となってくる。
【０００５】
本発明は、ズーミングが可能であり且つ無限遠を含むフォーカシングを可能とする第１のモードと大きい撮影倍率を得ることを可能とする第２のモードとが設定可能であり、小型化と高性能化の両立に有利なズームレンズを提供することを目的とするものである。
【課題を解決するための手段】
【０００６】
上述の課題を解決するために、本発明のズームレンズは以下の何れかとするものである。
【０００７】
ズーミングが可能であり且つ無限遠を含むフォーカシングを可能とする第１のモードと、０．２５倍よりも大きい撮影倍率絶対値を得ることを可能とする第２のモードとが設定可能なマクロモードを備えたズームレンズであって、
前記ズームレンズは、
正屈折力のレンズ群Ａと、
前記レンズ群Ａよりも像側に配置され、空気間隔を挟んで前記レンズ群Ａに隣り合う負屈折力のレンズ群Ｂと、
前記レンズ群Ａよりも物体側に配置され、フォーカシング動作時に光軸方向に移動する負屈折力のフォーカシングレンズ群と、
前記フォーカシングレンズ群よりも物体側に配置され前記フォーカシング動作時に前記フォーカシングレンズ群との距離が変化する負屈折力の物体側レンズ群と、を有し、
前記第１のモードでは、広角端から望遠端へのズーミングに際して、
前記レンズ群Ａは、広角端よりも望遠端にて前記フォーカシングレンズ群との距離が狭まり且つ物体側に位置するように移動し、
前記レンズ群Ｂは、前記広角端よりも前記望遠端にて前記レンズ群Ａとの距離が広がり且つ物体側に位置するように前記レンズ群Ａの位置に関連して移動し、
無限遠合焦を含むフォーカシングを前記負屈折力のフォーカシングレンズ群の光軸方向への移動にて行い、
第２のモードでは、
前記レンズ群Ａが前記広角端から前記望遠端へのズーミング時の移動範囲内に位置され、
前記レンズ群Ｂが、前記ズーミングの際における前記レンズ群Ａの位置に対応するレンズ群Ｂの位置よりも像側且つ、レンズ群Ｂの広角端での位置よりも物体側に位置され、
フォーカシングを前記負屈折力のフォーカシングレンズ群の光軸方向への移動にて行うことを特徴とする
マクロモードを備えたズームレンズ。
【０００８】
正屈折力のレンズ群Ａと負屈折力のレンズ群Ｂが上述のように相互に関連して間隔を広げて物体側に移動することで収差変動を抑えながらバリエータとコンペンセータの機能を果たさせることができる。
【０００９】
また、フォーカシングレンズ群をレンズ群Ａよりも物体側で、負屈折力の物体側レンズ群の像側に配置することで、このフォーカシングレンズ群の屈折力を小さくしても近距離への合焦が可能となり、光学性能を確保しつつ近距離へのフォーカシングが行いやすくなる。
【００１０】
そして、マクロ撮影が可能な第２のモードでは、レンズ群Ａ、レンズ群Ｂの位置が第１のモードにおけるそれぞれのレンズ群の移動範囲内とされている。そのため、第２のモードの設定のためにレンズ群Ａとレンズ群Ｂの移動範囲を第１のモードの移動範囲以上としなくてもよくなる。そのためレンズ群を移動させるための構成を小さくでき、軽量化に有利となる。
【００１１】
そして、第１のモード、第２のモードの両方にてフォーカシングレンズ群を共通にでき、そのフォーカシングレンズ群の屈折力を小さくできるので、第１のモード、第２のモードともに画質の安定した且つ消費電力を軽減したフォーカシングが行える。特に、フォーカシングレンズ群がウォブリングレンズ群と兼用される場合でも同様に効果的である。
【００１２】
本発明にて、更には、以下の構成のいずれかひとつ、更には複数を同時に満足することがより好ましい。
【００１３】
さらに、以下の条件式（１）を満足することが好ましい。
０．２＜ｆobj／ｆfocus＜５．０  ・・・（１）
ただし、
ｆobjは、前記物体側レンズ群の焦点距離、
ｆfocusは、前記フォーカシングレンズ群の焦点距離、である。
【００１４】
条件式（１）は、物体側レンズ群とフォーカシングレンズ群との好ましい屈折力の比率を特定するものである。
下限０．２を下回らないようにしてフォーカシングレンズ群の負の屈折力を抑えることでフォーカシングレンズ群での収差を抑えやすくなる。
上限５．０を上回らないようにしてフォーカシングレンズ群の負の屈折力を確保することでフォーカシングレンズ群のフォーカシング時の移動量を小さくしやすくなる。
【００１５】
さらに、以下の条件式（２）を満足することが好ましい。
１．２＜ＤＡｗｔ／ＤＢｗｔ＜３．０  ・・・（２）
ただし、
ＤＡｗｔは、望遠端での前記レンズ群Ａの位置と広角端での前記レンズ群Ａの位置との差、
ＤＢｗｔは、望遠端での前記レンズ群Ｂの位置と広角端での前記レンズ群Ｂの位置との差、である。
【００１６】
条件式（２）は、レンズ群Ａとレンズ群Ｂの好ましい移動量の比率を特定するものである。
下限１．２を下回らないように且つ上限３．０を上回らないようにするすることで、レンズ群Ｂのコンペンセータとしての機能の発揮に有利となる。
【００１７】
さらに、以下の条件式（３）を満足することが好ましい。
０≦ＭＢｍ２／ＤＡＢｍ２＜１．８  ・・・（３）
ただし、
ＭＢｍ２は、第２のモードでの前記レンズ群Ｂの位置と広角端での前記レンズ群Ｂの位置との差、
ＤＡＢｍ２は、第２のモードにおける前記レンズ群Ａと前記レンズ群Ｂとの間の距離、である。
【００１８】
下限０を下回らないようにしてレンズ群Ｂの移動範囲を小さくすることがメカ構成上好ましい。
上限１．８を上回らないようにして第２のモードにおけるレンズ群Ａとレンズ群Ｂとの間隔を確保することで第２のモードでの撮影倍率を大きくしやすくなる。
【００１９】
さらに、以下の条件式（４）を満足することが好ましい。
０．４＜ＭＢｍ２／ＭＢｍ１＜０．９６  ・・・（４）
ただし、
ＭＢｍ２は、第２のモードでの前記レンズ群Ｂの位置と広角端での前記レンズ群Ｂの位置との差、
ＭＢｍ１は、第２のモードのレンズ群Ａの位置と同位置にレンズ群Ａが位置したときの第１のモードでのレンズ群Ｂの位置と広角端での前記レンズ群Ｂの位置との差、である。
【００２０】
下限０．４を下回らないようにすることで第１のモードから第２のモードへ切り替えた際の非点収差や球面収差への影響を抑えやすくなる。
上限０．９６を上回らないようにすることで第２のモードにおける撮影倍率の向上に有利となる。
【００２１】
さらに、以下の条件式（５）を満足することが好ましい。
０．５＜ＭＡｍ２／ＤＡｗｔ＜０．９８  ・・・（５）
ただし、
ＭＡｍ２は、第２のモードでの前記レンズ群Ａの位置と広角端での前記レンズ群Ａの位置との差、
ＤＡｗｔは、望遠端での前記レンズ群Ａの位置と広角端での前記レンズ群Ａの位置との差、である。
【００２２】
下限０．５を下回らないようにすることで、第２のモードでの撮影倍率の向上に有利となる。
上限０．９８を上回らないようにすることで、第２のモードにおけるフォーカシングレンズ群の移動域の自由度を確保でき、第２のモードにおける合焦可能な被写体域の確保に有利なる。
【００２３】
さらに、前記物体側レンズ群が前記ズーミング及びフォーカシングの際に位置が固定であることが好ましい。
【００２４】
物体側レンズ群は体積が大きくなりやすい。そこで、このレンズ群を固定とすることで駆動するための機構が不要となり低コスト化に有利となる。
【００２５】
さらに、前記物体側レンズ群が前記ズームレンズ中で最も物体側に配置されたレンズ群であることが好ましい。
【００２６】
負レンズ群がもっとも物体側に配置されるズームレンズとすることで、広角端での画角の確保と小型化の両立に有利となる。
【００２７】
さらに、前記レンズ群Ａの物体側直前の空気間隔から前記レンズ群Ａの像側の空気間隔の間に配置され、広角端よりも望遠端にて物体側に位置する明るさ絞りを有することが好ましい。
【００２８】
レンズ群Ａとレンズ群Ｂの可動範囲を確保しつつレンズ群Ａの径を小さくしやすくなり、小型化につながる。
【００２９】
さらに、広角端から望遠端へのズーミングに際して、前記フォーカシングレンズ群は像側へ移動後像側に移動し、前記物体側レンズ群と前記フォーカシングレンズ群との距離が変化することが好ましい。
【００３０】
フォーカシングレンズ群にコンペンセータの機能を持たせられ、像面湾曲の変化の低減に有利となる。
【００３１】
さらに、前記フォーカシングレンズ群が、内部が媒質で満たされた１つのレンズ体で構成されたことが好ましい。
本構成を採用することで、フォーカスレンズ群の軽量化に有利となる。
【００３２】
さらに、前記レンズ群Ｂよりも像側に配置され前記レンズ群Ｂとの距離が前記ズーミングの際に変化する正屈折力のレンズ群Ｃを有することが好ましい。
【００３３】
レンズ群Ｂにより光軸から離れる方向に軸外光線が屈折するが、この軸外光線は正屈折力のレンズ群Ｃにより屈折されることで光軸と軸外光線とのなす角が小さくなる。それにより、射出瞳を撮像面から離しやすくなり、シェーディングを軽減しやすくなる。
【００３４】
さらに、前記レンズ群Ｃは、前記ズームレンズ中で最も像側に配置されたレンズ群であり、前記ズーミング及びフォーカシングの際に位置が固定であることが好ましい。
【００３５】
このレンズ群Ｃを固定とすることで駆動するための機構が不要となり低コスト化に有利となる。ズームレンズを交換レンズに用いた場合、ズームレンズ系内部へのゴミの侵入やレンズ駆動時の雑音の低減にも有利となる。
【００３６】
さらに、ズームレンズは物体側から順に、
前記物体側レンズ群、前記フォーカシングレンズ群、前記レンズ群Ａ、前記レンズ群Ｂ、正屈折力のレンズ群Ｃとからなり、
前記物体側レンズ群と前記レンズ群Ｃは、前記ズーミング及びフォーカシングの際に位置が固定であることが好ましい。
【００３７】
最も物体側のレンズ群と最も像側のレンズ群を固定とすることで、レンズ系内へのゴミの進入やレンズ群動作時の雑音の低減に有利となる。
【００３８】
さらに、前記フォーカシングレンズ群は、前記ズーミングの際に、像側へ移動後、物体側に移動することが好ましい。
【００３９】
フォーカシングレンズ群にコンペンセータの機能を持たせられ、像面湾曲の変化の低減に有利となる。
【００４０】
さらに、前記フォーカシングレンズ群は、前記ズーミングの際に固定であることが好ましい。
【００４１】
ズーミング時の移動レンズ群を少なくでき、構成の簡略化の有利となる。例えば、移動するレンズ群の各々に対応する駆動モーターを配置する場合、ズーミング時の駆動モーター数を２つにでき、消費電力の低減等に有利となる。
【００４２】
さらに、前記物体側レンズ群よりも物体側に配置され、前記物体側レンズ群との距離が前記ズーミングの際に変化する正屈折力のレンズ群Ｄを有することが好ましい。
【００４３】
物体側レンズ群やフォーカシングレンズ群により発生しやすい歪曲収差などの補正に有利となる。
【００４４】
上述の各構成は、任意に複数を同時に満足することがより好ましい。
また、上述の条件式について、更に以下のようにすれば、その効果をより確実にでき、好ましい。
【００４５】
条件式（１）について、
下限値を０．６、更には０．８とすることが好ましい。
上限値を２．０、更には１．３とすることが好ましい。
【００４６】
条件式（２）について、
下限値を１．５、更には１．８とすることが好ましい。
上限値を２．７、更には２．３とすることが好ましい。
【００４７】
条件式（３）について、
上限値を１．６、更には１．５とすることが好ましい。
【００４８】
条件式（４）について、
下限値を０．５５、更には０．７とすることが好ましい。
上限値を０．９３、更には０．９とすることが好ましい。
【００４９】
条件式（５）について、
下限値を０．７、更には０．８５とすることが好ましい。
上限値を０．９６、更には０．９４とすることが好ましい。
【発明の効果】
【００５０】
本発明よれば、ズーミングが可能であり且つ無限遠を含むフォーカシングを可能とする第１のモードと大きい撮影倍率を得ることを可能とする第２のモードとが設定可能であって、小型化と高性能化の両立に有利なズームレンズを提供することが可能となる。
【図面の簡単な説明】
【００５１】
【図１】本発明の実施例１のズームレンズを展開して光軸に沿ってとった断面図
【図２】本発明の実施例２のズームレンズを展開して光軸に沿ってとった断面図
【図３】本発明の実施例３のズームレンズを展開して光軸に沿ってとった断面図
【図４】本発明の実施例４のズームレンズを展開して光軸に沿ってとった断面図
【図５】本発明の実施例１のズームレンズの収差図
【図６】本発明の実施例２のズームレンズの収差図
【図７】本発明の実施例３のズームレンズの収差図
【図８】本発明の実施例４のズームレンズの収差図
【図９】本発明のズームレンズを交換レンズとして用いた撮像装置の断面図
【図１０】本発明のデジタルカメラの外観を示す前方斜視図
【図１１】本発明のデジタルカメラの外観を示す後方斜視図
【図１２】本発明のデジタルカメラの制御構成を示すブロック図
【発明を実施するための形態】
【００５２】
本発明の実施例１〜実施例４のズームレンズについて図を用いて説明する。図１〜図４は、本発明の実施例１〜実施例４のズームレンズを展開して光軸に沿ってとった断面図である。各図において（ａ）〜（ｄ）は、第１のモードとしてのズームモードが、また、（ｅ）は、第２のモードとしてのマクロモードにおける断面図である。そして、各図において、（ａ）は無限遠合焦時の広角端（Ｗ  ｉｎｆ）、（ｂ）は無限合焦時の中間状態（Ｓ
ｉｎｆ）、（ｃ）は第１モードにて第２のモード時のレンズ群Ａと同じ位置にレンズ群Ａが配置される無限遠合焦時の状態（Ｍ１）、（ｄ）は無限合焦時の望遠端（Ｔ  ｉｎｆ）、（ｅ）は第２のモードの所定状態（Ｍ２）が示されている。
【００５３】
なお、（ｃ）に示される第１のモードにて第２のモード時のレンズ群Ａと同じ位置にレンズ群Ａが配置される無限遠合焦時の状態は、中間焦点距離状態（ｂ）から望遠端（ｄ）のズーミング途中の状態としている。
【００５４】
［実施例１］
図１は、実施例１のズームレンズの断面図である。実施例１のズームレンズは、物体側から像側に順に、負屈折力の第１レンズ群Ｇ１（物体側レンズ群）、負屈折力の第２レンズ群Ｇ２（フォーカシングレンズ群）、正屈折力の第３レンズ群Ｇ３（レンズ群Ａ）、負屈折力の第４レンズ群Ｇ４（レンズ群Ｂ）、正屈折力の第５レンズ群Ｇ５（レンズ群Ｃ）からなる。
【００５５】
第１のモードでは、広角端から望遠端への変倍に際して、第１レンズ群Ｇ１は固定され、第２レンズ群Ｇ２は像側に凸状の軌跡で移動し、第３レンズ群Ｇ３は物体側にのみ移動し、第４レンズ群Ｇ４は物体側にのみ移動し、第５レンズ群Ｇ５は固定される。
【００５６】
フォーカシングは、第２レンズ群Ｇ２の光軸方向への移動により行われ、遠距離から近距離への合焦動作は、第２レンズ群Ｇ２の物体側への繰り出しにより行われる。
【００５７】
図１（ｅ）に示される第２のモードに切り替えられると、第２、第３、第４レンズ群Ｇ２〜Ｇ４は、第１のモードにおける可動域内途中の所定位置に移動する。
この例では、第２レンズ群Ｇ２は、図１（ｄ）に示される第１モードの望遠端無限遠合焦時の位置に移動する。
第３レンズ群Ｇ３は、図１（ｂ）に示される中間状態と図１（ｄ）に示される望遠端状態の間の所定位置に移動する。
第４レンズ群Ｇ４は、第１のモードにおける第２レンズＧ２群との相対的な位置よりも像側に移動する。
【００５８】
図では、第１のモードの望遠端無限遠合焦時のレンズ群配置に対しての移動方向を示し
ているが、広角端でのレンズ位置にてモードが第２のモードになった場合は、第２、第３、第４レンズ群Ｇ２〜Ｇ４の各々は物体側へ移動して所定位置に配置される。
第２のモードにおけるフォーカシングは、第２レンズ群Ｇ２の光軸方向の移動により行われる。近距離への合焦は第２レンズ群Ｇ２の物体側への移動により行われ、遠距離への合焦は第２レンズ群Ｇ２の像側への移動により行われる。
【００５９】
［実施例２］
図２は、実施例２のズームレンズの断面図である。実施例２のズームレンズは、物体側から像側に順に、負屈折力の第１レンズ群Ｇ１（物体側レンズ群）、負屈折力の第２レンズ群Ｇ２（フォーカシングレンズ群）、正屈折力の第３レンズ群Ｇ３（レンズ群Ａ）、負屈折力の第４レンズ群Ｇ４（レンズ群Ｂ）、正屈折力の第５レンズ群（レンズ群Ｃ）からなる。
【００６０】
第１のモードでは、広角端から望遠端への変倍に際して、第１レンズ群Ｇ１は固定され、第２レンズ群Ｇ２は像側に凸状の軌跡で移動し、第３レンズ群Ｇ３は物体側にのみ移動し、第４レンズ群Ｇ４は物体側にのみ移動し、第５レンズ群Ｇ５は固定される。
【００６１】
フォーカシングは、第２レンズ群Ｇ２の光軸方向への移動により行われ、遠距離から近距離への合焦動作は、第２レンズ群Ｇ２の物体側への繰り出しにより行われる。
【００６２】
図２（ｅ）に示される第２のモードに切り替えられると、第２、第３、第４レンズ群Ｇ２〜Ｇ４が第１のモードにおける可動域内途中の所定位置に移動する。
この例では、第２レンズ群Ｇ２は、図２（ｄ）に示される第１モードの望遠端無限遠合焦時の位置に移動する。
第３レンズ群Ｇ３は、図２（ｂ）に示される中間状態と図２（ｄ）に示される望遠端状態の間の所定位置に移動する。
第４レンズ群Ｇ４は、第１のモードにおける第２レンズ群Ｇ２との相対的な位置よりも像側に移動する。
【００６３】
図では、第１のモードの望遠端無限遠合焦時のレンズ群配置に対しての移動方向を示しているが、広角端でのレンズ位置にてモードが第２のモードになった場合は、第２、第３、第４レンズ群Ｇ２〜Ｇ４の各々は物体側へ移動して所定位置に配置される。
第２のモードにおけるフォーカシングは、第２レンズ群Ｇ２の光軸方向の移動により行われる。近距離への合焦は第２レンズ群Ｇ２の物体側への移動により行われ、遠距離への合焦は第２レンズ群Ｇ２の像側への移動により行われる。
【００６４】
［実施例３］
図３は、実施例３のズームレンズの断面図である。実施例３のズームレンズは、物体側から像側に順に、正の屈折力の第１レンズ群Ｇ１(レンズ群Ｄ)、負屈折力の第２レンズ群Ｇ２（物体側レンズ群）、負屈折力の第３レンズ群Ｇ３（フォーカシングレンズ群）、正屈折力の第４レンズ群Ｇ４（レンズ群Ａ）、負屈折力の第５レンズ群Ｇ５（レンズ群Ｂ）、正屈折力の第６レンズ群Ｇ６（レンズ群Ｃ）からなる。
【００６５】
第１のモードでは、広角端から望遠端への変倍に際して、第１レンズ群Ｇ１は物体側に移動し、第２レンズ群Ｇ２は固定され、第３レンズ群Ｇ３は像側に凸状の軌跡で移動し、第４レンズ群Ｇ４は物体側にのみ移動し、第５レンズ群Ｇ５は物体側にのみ移動し、第６レンズ群Ｇ６は固定される。
【００６６】
フォーカシングは、第３レンズ群Ｇ３の光軸方向への移動により行われ、遠距離から近距離への合焦動作は、第３レンズ群Ｇ３の物体側への繰り出しにより行われる。
【００６７】
図３（ｅ）に示される第２のモードに切り替えられると、第１、第３、第４、第５レンズ群Ｇ１、Ｇ３、Ｇ４、Ｇ５が第１のモードにおける可動域内途中の所定位置に移動する。
この例では、第１レンズ群Ｇ１と第３レンズ群は第１モードの望遠端無限遠合焦時の位置に移動する。
第４レンズ群Ｇ４は図３（ｂ）に示される中間状態と図３（ｄ）に示される望遠端状態の間の所定位置に移動する。
第５レンズ群Ｇ５は、第１のモードにおける第２レンズ群との相対的な位置よりも像側に移動する。
【００６８】
図では、第１のモードの望遠端無限遠合焦時のレンズ群配置に対しての移動方向を示しているが、広角端でのレンズ位置にてモードが第２のモードになった場合は、第１、第３、第４、第５レンズ群Ｇ１、Ｇ３、Ｇ４、Ｇ５の各々は物体側へ移動して所定位置に配置される。
第２のモードにおけるフォーカシングは、第３レンズ群Ｇ３の光軸方向の移動により行われる。近距離への合焦は第３レンズ群Ｇ３の物体側への移動により行われ、遠距離への合焦は第３レンズ群Ｇ３の像側への移動により行われる。
実施例３では、広角端付近で発生する歪曲収差を画像処理で補正するために、有効撮像領域を、広角端では樽型形状とし、中間焦点距離状態や望遠端では矩形の形状となるようにしている。そして、あらかじめ設定した有効撮像領域を画像処理により画像変換し、歪みを低減させた矩形の画像情報に変換している。よって、広角端での像高ＩＨｗは、中間焦点距離状態の像高ＩＨｓや望遠端での像高ＩＨｔよりも小さくなっている。
【００６９】
［実施例４］
図４は、実施例４のズームレンズの断面図である。実施例４のズームレンズは、物体側から像側に順に、負屈折力の第１レンズ群Ｇ１（物体側レンズ群）、負屈折力の第２レンズ群Ｇ２（フォーカシングレンズ群）、正屈折力の第３レンズ群Ｇ３（レンズ群Ａ）、負屈折力の第４レンズ群Ｇ４（レンズ群Ｂ）、正屈折力の第５レンズ群Ｇ５（レンズ群Ｃ）からなる。
【００７０】
第１のモードでは、広角端から望遠端への変倍に際して、第１レンズ群Ｇ１及び第２レンズ群Ｇ２は固定され、第３レンズ群Ｇ３は物体側にのみ移動し、第４レンズ群Ｇ４は物体側に凸の軌跡で移動し、第５レンズ群Ｇ５は固定される。
【００７１】
フォーカシングは、第２レンズ群Ｇ２の光軸方向への移動により行われ、遠距離から近距離への合焦動作は、第２レンズ群Ｇ２の物体側への繰り出しにより行われる。
【００７２】
第２のモードに切り替えられると、第３、第４レンズ群Ｇ３、Ｇ４が第１のモードにおける可動域内途中の所定位置に移動する。
この例では、第３レンズ群Ｇ３は図４（ｂ）に示される中間状態と図４（ｄ）に示される望遠端状態の間の所定位置に移動する。
第４レンズ群Ｇ４は、第１のモードにおける第２レンズ群Ｇ２との相対的な位置よりも像側に移動する。
【００７３】
図では、第１のモードの望遠端無限遠合焦時のレンズ群配置に対しての移動方向を示しているが、広角端でのレンズ位置にてモードが第２のモードになった場合は、第３、第４レンズ群Ｇ３、Ｇ４の各々は物体側へ移動して所定位置に配置される。
【００７４】
第２のモードにおけるフォーカシングは、第２レンズ群Ｇ２の光軸方向の移動により行
われる。近距離への合焦は第２レンズ群Ｇ２の物体側への移動により行われ、遠距離への合焦は第２レンズ群Ｇ２の像側への移動により行われる。
【００７５】
［数値実施例］
以下に上記実施例１〜実施例４の各種数値データ（面データ、非球面データ、各種データ１、各種データ２）を示す。
【００７６】
面データには、面番号毎に各レンズ面（光学面）の曲率半径ｒ、面間隔ｄ、各レンズ（光学媒質）のｄ線（５８７．６ｎｍ）に対する屈折率ｎｄ、各レンズ（光学媒質）のｄ線のアッベ数νｄが示されている。面データ中、面番号の右側に付されたアスタリスク“＊”は、そのレンズ面が非球面形状であることを、また、曲率半径に記載する“∞”は、無限大であることを示している。なお、曲率半径ｒ、面間隔ｄなど距離に関するデータの単位は特段の記載がない場合、ミリメートル（ｍｍ）である。各種データ１、２に記載するデータにおいても同様である。
【００７７】
非球面データには、面データ中、非球面形状としたレンズ面に関するデータが示されている。非球面形状は、ｘを光の進行方向を正とした光軸とし、ｙを光軸と直交する方向にとると下記の式にて表される。
ｘ＝（ｙ2／ｒ）／［１＋｛１−（１＋Ｋ）・（ｙ／ｒ）2｝1/2］
＋Ａ4ｙ4＋Ａ6ｙ6＋Ａ8ｙ8＋Ａ10ｙ10＋Ａ12ｙ12…
ただし、ｒは近軸曲率半径、Ｋは円錐係数、Ａ4、Ａ6、Ａ8、Ａ10、Ａ12はそれぞれ４
次、６次、８次、１０次、１２次の非球面係数である。なお、記号“Ｅ”は、それに続く数値が１０を底にもつ、べき指数であることを示している。例えば「１．０Ｅ−５」は「１．０×１０-5」であることを意味している。
【００７８】
各種データ１には、無限遠合焦時の広角端（Ｗ）、中間状態（Ｓ）、第１モードにて第２のモード時のレンズ群Ａと同じ位置にレンズ群Ａが配置される状態（Ｍ１：ズームモード）、望遠端（Ｔ）、第２のモード（Ｍ２：マクロモード）の所定状態における各種データが示されている。ズームデータとしては、焦点距離、Ｆナンバー（Fno）、半画角、可
変する面間隔ｄ、明るさ絞りの半径ＥＲが示されている。なお、第２のモード（Ｍ２）のデータには、この他、撮影倍率ＭＧ、ＮＡが示されている。
【００７９】
各種データ２には、各レンズ群における焦点距離、バックフォーカス空気換算長、光学全長、像高、そしてマクロモード（第２のモード）時における焦点距離、半画角、撮影距離、撮影倍率が示されている。
【００８０】
［数値実施例１］
面番号            ｒ             ｄ            ｎｄ        νｄ
1            64.3900         1.9500         1.78800       47.37
2            16.6323         6.3700
3*           60.0000         1.5000         1.58313       59.38
4*           16.6012         2.6300
5            25.4912         4.4700         1.84666       23.78
6           944.5098      d6（可変）
7           -23.3996         1.2000         1.78800       47.37
8          -100.0000      d8（可変）
9*           14.4588         4.1500         1.58313       59.38
10*         -33.2321         1.0700
11（絞り）        ∞         1.0000
12           27.1904         2.9100         1.56732       42.82
13         -135.7170         0.9400         1.91082       35.25
14           10.3769         3.9600         1.49700       81.54
15          -19.5832     d15（可変）
16          108.8658         0.8600         1.77250       49.60
17           14.0873     d17（可変）
18*         -80.0000         2.5000         1.53110       55.91
19*         -66.8694         3.4300
20          -80.0000         3.4000         1.78470       26.29
21          -26.1235        15.9057
像面（撮像面）    ∞
非球面データ
第３面
K=0
A4=1.2653E-5
A6=-1.6312E-7
A8=1.8274E-9
A10=-9.6923E-12
A12=1.9376E-14
第４面
K=0
A4=-2.7562E-5
A6=-2.9674E-7
A8=2.1253E-9
A10=-1.3746E-11
A12=2.6063E-14
第９面
K=0
A4=-2.4478E-5
A6=-7.4257E-7
A8=3.0322E-8
A10=-5.5238E-10
A12=4.9598E-12
第１０面
K=0
A4=7.1570E-5
A6=-6.8993E-7
A8=2.9439E-8
A10=-5.7702E-10
A12=5.6890E-12
第１８面
K=0
A4=8.8450E-5
A6=-2.6679E-6
A8=4.2350E-8
A10=-3.7291E-10
A12=1.4152E-12
第１９面
K=0
A4=9.6408E-5
A6=-2.3884E-6
A8=3.2859E-8
A10=-2.5318E-10
A12=8.4509E-13
各種データ１
焦点距離  W 〜S 〜M1〜T = 12.2 〜 24.5 〜 46.1 〜 49.0
Fno       W 〜S 〜M1〜T =  3.6 〜  4.8 〜  6.0 〜  6.4
半画角    W 〜S 〜M1〜T = 44.9 〜 23.9 〜 13.0 〜 12.2
W inf           S inf              M1          T inf
d0（被写体）       ∞              ∞              ∞             ∞
d6            7.95050         8.31290         6.16290        5.45570
d8           28.02150        12.34940         2.23000        1.61620
d15           2.00000         5.34270        14.17200       15.29150
d17           4.39410        16.36110        19.80120       20.00280
ER            5.41920         6.03938          6.9445        6.66945
M2
d0（被写体）     89.72640
d6                5.45570
d8                2.96259
d15              17.65955
d17              16.28531
ER                6.66945
MG               -0.45000
NA                0.0347
各種データ２
Ｇ１焦点距離    -48.3794
Ｇ２焦点距離    -39.0355
Ｇ３焦点距離     17.040
Ｇ４焦点距離    -21.0296
Ｇ５焦点距離     44.990
バックフォーカス空気換算長    15.906
光学全長（W-T共通）          100.612
像高           10.815
マクロモード時  焦点距離 = 42.1
マクロモード時   半画角  = 12.6
マクロモード時   撮影距離= 89.7(物体〜第１面の距離）
マクロモード時   撮影倍率= -0.45
【００８１】
［数値実施例２］
面番号            ｒ             ｄ            ｎｄ        νｄ
1            45.2207         2.1400         1.77250       49.60
2            16.3269         5.1200
3*           41.8793         1.5000         1.58313       59.38
4*           14.4691         3.8500
5            23.9939         3.8000         1.80810       22.76
6           103.8698      d6（可変）
7           -24.8418         1.2000         1.74100       52.64
8          -100.0000      d8（可変）
9*           14.0498         4.3000         1.58313       59.38
10*         -31.7996         1.3000
11（絞り）        ∞         1.9000
12          179.0098         1.0000         1.83400       37.16
13           10.8826         5.0000         1.49700       81.54
14          -18.9390     d14（可変）
15          128.8505         1.0000         1.83481       42.71
16           15.2795         1.5800
17*          37.2148         2.0000         1.53071       55.69
18*          57.5081     d18（可変）
19          -75.0639         2.4800         1.75211       25.05
20          -23.7233     d20（可変）
像面（撮像面）    ∞
非球面データ
第３面
K=1.2447
A4=2.0075E-5
A6=-2.7611E-7
A8=2.4894E-10
A10=3.5331E-12
A12=-9.3037E-15
第４面
K=-1.0662
A4=2.1822E-5
A6=-3.0982E-7
A8=-1.7795E-9
A10=1.9840E-11
A12=-5.0306E-14
第９面
K=0
A4=-3.8287E-5
A6=-4.3941E-8
A8=1.5034E-10
A10=1.3526E-11
第１０面
K=0
A4=6.6094E-5
A6=-2.9345E-8
A8=-1.6201E-9
A10=3.6897E-11
第１７面
K=-82.6051
A4=2.9743E-4
A6=-7.3765E-6
A8=9.2595E-8
A10=-8.7606E-10
第１８面
K=-271.4873
A4=2.8604E-4
A6=-6.8173E-6
A8=8.5146E-8
A10=-7.3142E-10
各種データ１
焦点距離  W 〜S 〜M1〜T = 12.2 〜 24.5 〜 44.4 〜 49.0
Fno       W 〜S 〜M1〜T =  3.6 〜  5.2 〜  6.1 〜  6.5
半画角    W 〜S 〜M1〜T = 44.9 〜 23.8 〜 13.5 〜 12.2
W inf           S inf              M1          T inf
d0 （被写体）      ∞              ∞              ∞             ∞
d6            6.64460         9.32450         7.17320        5.91140
d8           30.06750        12.35030         2.51040        1.55590
d14           3.81420         7.93550        17.62220       19.75130
d18           6.81620        17.73200        20.03650       20.12370
ER            5.17564         5.38054         5.38054        6.41796
M2
d0（被写体）    110.72054
d6                5.91140
d8                3.34967
d9                0.40000
d14              20.00066
d18              17.68053
ER                6.41796
MG               -0.35000
NA                0.028
各種データ２
Ｇ１焦点距離    -41.219
Ｇ２焦点距離    -44.911
Ｇ３焦点距離     18.399
Ｇ４焦点距離    -23.276
Ｇ５焦点距離     45.180
バックフォーカス空気換算長    14.600
光学全長  （W-T共通）        100.111
像高            10.815
マクロモード時  焦点距離 = 40.5
マクロモード時   半画角  = 13.4
マクロモード時   撮影距離= 110.7 (物体〜第１面の距離）
マクロモード時   撮影倍率= -0.35
【００８２】
［数値実施例３］
面番号            ｒ             ｄ            ｎｄ        νｄ
1           102.9772         2.5000         1.51742       52.43
2           175.0279      d2（可変）
3            61.6287         2.7991         1.78800       47.37
4            19.5239         6.1046
5*          114.4384         1.0728         1.58253       59.32
6*           15.2703         3.4586
7            25.9416         5.2924         1.84666       23.78
8           221.8576      d8（可変）
9           -22.2564         1.2000         1.74100       52.64
10          -79.2468     d10（可変）
11*          14.7769         4.0834         1.58253       59.32
12*         -29.7621         1.3338
13(絞り)          ∞         1.8476
14           82.1540         1.0000         1.91082       35.25
15           11.9130         0.0070         1.56384       60.67
16           11.8860         5.4583         1.49700       81.54
17          -18.6150     d17（可変）
18                ∞         1.0000         1.77250       49.60
19           16.3256         1.6173
20*          27.2936         1.8481         1.53071       55.69
21*          35.1254     d21（可変）
22          -73.9226         2.7575         1.75520       27.51
23          -24.1196        14.7890
像面（撮像面）    ∞
非球面データ
第５面
K=-1.3488
A4=2.5546E-5
A6=-2.1154E-7
A8=3.0630E-11
A10=3.1146E-12
A12=-5.4895E-15
第６面
K=-1.3329
A4=3.1177E-5
A6=-9.5004E-8
A8=-2.9104E-9
A10=2.0300E-11
A12=-3.5683E-14
第１１面
K=-0.0713
A4=-3.7502E-5
A6=-1.1749E-8
A8=9.2227E-11
A10=5.2627E-12
第１２面
K=0.2254
A4=6.5973E-5
A6=-1.0779E-7
A8=2.9854E-10
A10=8.1421E-12
第２０面
K=-1.0292
A4=2.9390E-4
A6=-8.0095E-6
A8=1.8656E-7
A10=-2.1155E-9
第２１面
K=2.2133
A4=3.1227E-4
A6=-7.1415E-6
A8=1.5676E-7
A10=-1.7602E-9
各種データ１
焦点距離  W 〜S 〜 M1〜T = 12.2 〜 24.4 〜 41.5〜 49.0
Fno       W 〜S 〜 M1〜T =  3.6 〜  5.2 〜  6.0〜  6.5
半画角    W 〜S 〜 M1〜T = 42.0 〜 24.2 〜 14.7〜 12.5
W inf           S inf              M1           T inf
d0 （被写体）      ∞              ∞              ∞              ∞
d2            2.12957         3.37416         5.39500         6.22164
d8            7.42838         8.57158         7.13070         5.29282
d10          28.69251        12.35175         3.37250         1.61926
d17           3.38106         7.01407        14.72100        17.95868
d21           6.82713        18.39167        21.10490        21.45831
ER            5.16833         5.32406          6.1999         6.30225
M2
d0 （被写体）   105.09650
d2                6.22164
d8                5.77139
d10               4.73662
d17              16.27760
d21              19.54347
d23               9.99971
ER                6.30225
MG               -0.31500
NA                0.02624
各種データ２
Ｇ１焦点距離    477.817
Ｇ２焦点距離    -39.259
Ｇ３焦点距離    -42.143
Ｇ４焦点距離    186.280
Ｇ５焦点距離    -23.184
Ｇ６焦点距離     46.302
バックフォーカス空気換算長    14.789
光学全長         106.628〜107.873〜109.894〜110.721  （Ｗ〜Ｓ〜Ｍ１〜Ｔ）
像高             10.13〜11.11〜11.11〜11.11  （Ｗ〜Ｓ〜Ｍ１〜Ｔ）
マクロモード時  焦点距離 = 38.5
マクロモード時   半画角  = 14.8
マクロモード時   撮影距離= 105.1(物体〜第１面の距離）
マクロモード時   撮影倍率= -0.315
【００８３】
［数値実施例４］
面番号            ｒ             ｄ            ｎｄ        νｄ
1            31.1117         2.0691         1.77250       49.60
2            12.6950         8.1256
3           113.4391         2.0914         1.53110       55.91
4*           20.0750         1.5704
5            61.4079         3.3574         1.92286       20.88
6           -85.0339      d6（可変）
7           -23.4097         1.4228         1.77250       49.60
8           -67.4494      d8（可変）
9            15.9168         2.5554         1.73400       51.47
10           38.1774         1.1182
11（絞り）        ∞         0.8485
12*          13.2801         4.4866         1.49700       81.54
13           70.7511         0.8973         1.90366       31.32
14           12.7475         0.9484
15*          10.3674         3.5053         1.49700       81.61
16*         -33.0299     d16（可変）
17           31.2723         2.5762         1.66680       33.05
18          -45.6262         0.8060         1.81600       46.62
19           13.0498     d19（可変）
20*        -375.5090         1.8517         1.53110       55.91
21*         -70.4500         1.6314
22           81.1555         3.1185         1.75520       27.51
23         1.028E+04        14.7000
非球面データ
第４面
K=-9.7034
A4=7.5709E-5
A6=-1.1292E-6
A8=5.9070E-9
A10=-1.9413E-11
第１２面
K=-0.0044
A4=1.3700E-5
A6=-5.2212E-7
A8=1.0043E-8
A10=-8.6168E-11
第１５面
K=-0.0531
A4=-1.6848E-4
A6=2.1018E-6
A8=-7.5495E-8
A10=1.4267E-9
第１６面
K=-4.3734
A4=7.4283E-5
A6=1.6173E-6
A8=-4.7249E-8
A10=1.3457E-9
第２０面
K=-173.8024
A4=1.4194E-4
A6=-8.5213E-7
A8=3.0672E-9
A10=-8.3193E-12
第２１面
K=-15.2845
A4=1.4072E-4
A6=-8.6594E-7
A8=3.1312E-9
A10=-9.9334E-12
各種データ１
焦点距離  Wide〜Std〜M1〜Tele= 12.3 〜 24.0 〜 31.8 〜 46.9
Fno       Wide〜Std〜M1〜Tele=  3.6 〜  5.9 〜  6.2 〜  6.4
半画角    Wide〜Std〜M1〜Tele= 44.3 〜 24.9 〜 19.1 〜 12.9
W inf           S inf              M1          T inf
d0 （被写体）      ∞              ∞              ∞              ∞
d6            4.38498         4.38498         4.38498         4.38498
d8           27.71988        12.44954         6.85195         0.09416
d16           0.12512         2.54106         5.44925        12.93114
d19           6.94166        19.79605        22.48540        21.76135
ER            5.50770         4.75779         5.25228         6.25359
M2
d0 （被写体）    70.98634
d6                4.38498
d8                6.86251
d16               8.41062
d19              19.51351
ER                6.03715
MG               -0.38000
NA                0.03358
各種データ２
Ｇ１焦点距離    -16.954
Ｇ２焦点距離     17.560
Ｇ３焦点距離    -23.921
Ｇ４焦点距離     65.382
バックフォーカス空気換算長    14.7
光学全長  （W-T共通）         96.852
像高              11.11
マクロモード時  焦点距離 = 28.4
マクロモード時   半画角  = 18.4
マクロモード時   撮影距離= 71.0(物体〜第１面の距離）
マクロモード時   撮影倍率= -0.38
【００８４】
図５〜図８は、実施例１〜実施例４における（ａ）広角端（Ｗ  ｉｎｆ）、（ｂ）中間（Ｓ  ｉｎｆ）、（ｃ）望遠端（Ｔ  ｉｎｆ）、（ｄ）第２のモード（Ｍ２）での無限物点における諸収差図である。
【００８５】
これら諸収差図において、ＳＡは球面収差、ＡＳは非点収差、ＤＴは歪曲収差、ＣＣは倍率色収差を示す。球面収差ＳＡは、５８７．６ｎｍ（ｄ線：実線）、４３５．８ｎｍ（ｇ線：破線）、６５６．３ｎｍ（Ｃ線：点線）、４８６．１ｎｍ（Ｆ線：一点鎖線）の各波長について示されている。また、倍率色収差ＣＣは、ｄ線を基準としたときの４３５．８ｎｍ（ｇ線：破線）、６５６．３ｎｍ（Ｃ線：点線）、４８６．１ｎｍ（Ｆ線：一点鎖線）の各波長について示されている。また、非点収差ＤＴは、実線がサジタル像面、破線がメリジオナル像面のものを示している。なお、ＦＮＯはＦナンバーを、ＦＩＹは最大像高を示す。
【００８６】
上記実施例１〜実施例４について、各条件式（１）〜（５）の値を下記に示しておく。
【００８７】
実施例１       実施例２       実施例３       実施例４
条件式（１）       1.239          0.918          0.932          0.823
条件式（２）       1.852          2.198          1.996          1.864
条件式（３）       0.673          0.543          0.781          1.495
条件式（４）       0.772          0.822          0.891          0.809
条件式（５）       0.953          0.925          0.877          0.755
【００８８】
図９は、本発明のズームレンズを用い、撮像素子として小型のＣＣＤ又はＣＭＯＳなどを用いた撮像装置としての一眼ミラーレスカメラの断面図である。図９において、１は一眼ミラーレスカメラ、２は鏡筒内に配置された撮像レンズ系、３は撮像レンズ系２を一眼ミラーレスカメラ１に着脱可能とする鏡筒のマウント部であり、スクリュータイプやバヨネットタイプ等のマウントが用いられる。この例では、バヨネットタイプのマウントを使用している。また、４は撮像素子面、５はバックモニタである。なお、本実施形態において、撮像素子４、カバーガラス（平行平板）Ｃは、一眼ミラーレスカメラ１側に内蔵される。
【００８９】
このような構成の一眼ミラーレスカメラ１の撮像レンズ系２として、例えば上記実施例１〜４に示した本発明のズームレンズが用いられる。
【００９０】
図１０、図１１は、ズームレンズを撮影光学系４１に組み込んだ、本発明に係る撮像装置の構成の概念図を示す。図１０は撮像装置としてのデジタルカメラ４０の外観を示す前方斜視図、図１１は同背面斜視図である。
【００９１】
この実施形態のデジタルカメラ４０は、撮影用光路４２上に位置する撮影光学系４１、
シャッターボタン４５、液晶表示モニタ４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が結像面近傍に設けられた撮像素子（光電変換面）上に形成される。この撮像素子で受光された物体像は、処理手段によって電子画像としてカメラ背面に設けられた液晶表示モニタ４７に表示される。また、撮影された電子画像は記録手段に記録することができる。
【００９２】
図１２は、デジタルカメラ４０の主要部の内部回路を示すブロック図である。なお、以下の説明では、前述した処理手段５１は、例えば、ＣＤＳ／ＡＤＣ部２４、一時記憶メモリ１７、画像処理部１８等で構成され、記憶手段５２は、記憶媒体部等で構成される。
【００９３】
図１２に示されるように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【００９４】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【００９５】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメモリに格納されているプログラムに従って、デジタルカメラ４０全体を制御する。
【００９６】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【００９７】
ＣＤＳ／ＡＤＣ部２４は、ＣＣＤ４９から入力される電気信号を増幅し、かつ、アナログ／デジタル変換を行って、この増幅とデジタル変換を行っただけの映像生データ（ベイヤーデータ、以下ＲＡＷデータという。）を一時メモリ１７に出力する回路である。
【００９８】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【００９９】
記憶媒体部１９は、例えばフラッシュメモリ等からなるカード型又はスティック型の記憶媒体を着脱自在に装着して、これらのフラッシュメモリに、一時記憶メモリ１７から転送されるＲＡＷデータや画像処理部１８で画像処理された画像データを記録して保持する。
【０１００】
表示部２０は、液晶表示モニタ４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１０１】
このように構成されたデジタルカメラ４０は、撮像光学系４１として本発明のズームレンズを採用することで、ズーミングが可能であり且つ無限遠を含むフォーカシングを可能とする第１のモードと大きい撮影倍率を得ることを可能とする第２のモードとが設定可能であって、小型化と高性能化の両立に有利な撮像装置とすることが可能となる。
【０１０２】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【０１０３】
１…レンズ交換式カメラ
２…撮像レンズ系
３…マウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニタ
【図１】
2012230209.tif 000003
【図２】
2012230209.tif 000004
【図３】
2012230209.tif 000005
【図４】
2012230209.tif 000006
【図５】
2012230209.tif 000007
【図６】
2012230209.tif 000008
【図７】
2012230209.tif 000009
【図８】
2012230209.tif 000010
【図９】
2012230209.tif 000011
【図１０】
2012230209.tif 000012
【図１１】
2012230209.tif 000013
【図１２】
2012230209.tif 000014